(57)【要約】      （修正有）【課題】枕にカバーし易く、洗濯時の取り扱い脱着し易く、乾燥し易く、旅行に持って行ける吸湿性を改良した枕カバー布帛を提供する。【解決手段】円筒形丸編み形式で製品を製作する場合、編成組織に用いる素材に高性能の熱収縮性弾性糸と高性能な速水分吸収糸、速乾燥性の糸を挿入し、現在の産業界で好評な合成繊維を用い、製品布帛部分に空洞組織を立体的に作成している。そして使用する人のなごむようなデザイン性を考慮した布帛編成組織と高収縮糸の組み合わせを機械的技術で実行する。 【選択図】図５
0003166050.tif 000002
【実用新案登録請求の範囲】
【請求項１】
合成繊維紡績糸と天然紡績糸により構成した丸編み布に合成繊維の高収縮弾性糸を用いて丸編み機の高度な技術で立体的な円筒形編み布を作成し、枕の変形様式に密着する１０％〜２００％の伸縮性円筒形の枕カバー布帛。
【請求項２】
該高収縮弾性糸を他の素材糸と併合し全面的に丸編機の編み立て針に供給し円筒形編み布を作成し、請求項１に記載の伸縮性円筒形の枕カバー布帛。
【請求項３】
糸の供給を無収縮紡績糸と高収縮弾性糸を１対１か２〜５の順序で丸編機の編み用ベラ針へ規則的に供給し編地の収縮力を調整する、その収縮性にて枕の変形凸凹調に密着する請求項１〜２のいずれか１項に記載の伸縮性円筒形の枕カバー布帛。
【請求項４】
枕を使用中に発生する頭部の水分を吸収する目的で天然繊維（綿、麻、毛）、天然抗菌性糸、レーヨン系化繊紡績糸と合成繊維糸の混撚糸と高収縮弾性糸を併合供給し、編み布制作後加熱処理により高収縮弾性糸の収縮力を発現し、請求項１〜３のいずれか１項に記載の伸縮性円筒形の枕カバー布帛
【考案の詳細な説明】
【技術分野】
【０００１】
本考案は、夏冬兼用で快適に使用できる軽量、耐洗濯性に富んだ寝装用枕カバーに関するものである。本考案は丸編み機械による編む糸の熱収縮弾性糸と紡績糸を挿入糸として用い枕をカバーし易くした高収縮弾性糸を挿入する寝装用枕カバーである。
【背景技術】
【０００２】
従来一般に使用されている寝装用には人体に直に接するシート状の物は春用、夏用、秋冬用と季節に分かれて使用されている。従って季節によって使い分けする為、使用枚数が多く、多く必要とする。使用後の洗濯の場合には夏用の場合でも重量が多く、乾燥時間を必要とし、生活の合理的な時間の無駄が発生する。カバーの取り外し、装着に特に老齢者用には取り扱いに適していない問題がある。
【０００３】
この改善策としては、円筒形丸編み機によって通気性と保温性を兼ねた組織を作り、使用する合繊紡績糸、天然繊維、を組み合わせて編成し、軽く取り扱いし易い製品を製造した。この改善策を実行する為に基礎として活用している過去の当社文献を基に、更に技術的改善を実行した。
【先行技術文献】
【特許文献】
【０００４】
【特許文献１】特許第４２５２０８８号公報
【考案の開示】
【考案が解決しようとする課題】
【０００５】
解決しようとする問題点は出来る限り軽くし洗濯後の乾燥速度を早くする目的から丸編み機の特色を活用し空白の多い通気性トリコットの模様に制作する。従来市場にある枕カバー用の織物は基本的に重く３００ｇｒ／ｍ２以上である。本考案は最終製品化で１００ｇｒ／ｍ２以下にする改良手段を実行している。
【課題を解決するための手段】
【０００６】
本考案の図−１に示す丸編機の極細のベラ針ニードルに挿入する糸は極細のＡ紡績糸とＢ高収縮弾性糸を図―１に示すＡ、Ｂの併合する糸Ｃ併合挿入糸である。或いは並列の各ベラ針に対し図５に示すように、Ａ紡績糸、Ｃ併合弾性糸，Ｂ弾性糸、Ｃ併合挿入糸を挿入する場合、または各糸を表面の収縮凹凸模様の作成指図によって図４に示すようにＡ紡績糸、Ａ紡績糸，Ｃ併合挿入糸の挿入順序を変えることにより布帛の表面に小さな波状の模様を作ることができる。特性の収縮糸を幾何学的にテンションが発生し図２に示す写真の如く波の如き立体的な製品を制作した。
【考案の効果】
【０００７】
本考案の丸編機に給糸する高収縮弾性糸の挿入は各並立する丸編機の円形台座に林立するベラ針に対し目的に応じ紡績糸と交互に供給挿入する、或いは高収縮弾性糸と紡績糸を併合挿入する場合と無収縮紡績糸を交互に挿入場合とがある。編み糸間との繋がりを取りながら、丸編みの絡み編間を図１に示すはＡ無収縮の紡績糸、Ｂは高収縮性弾性糸、この二本の糸を供給するＣ併合挿入糸を丸編布帛に対し直線状か、斜め状に浮か跳び凹凸模様を描くことは技術を要す。完成した製品は供給糸に極細紡績糸を活用したため、軽く１００ｇ／m2以下となり、通常洗濯機には従来のものより本考案の製品は同じ洗濯機に５０〜１００％多く洗いやすく、布帛の凹凸によって乾燥が速く、その後の使用する時のドレープ性に富み、柔らかいクション性の良い枕の凹部分に密着する製品なる。この効果により肌触りを良好にしている。または寝ている最中に頭部を移動させて発生するカバー布帛の皺は発生しない。軽いので高齢者、医療介護を受けている者、青少年スポーツマンの持ち運び容易な寝具として製品は好評である。
【考案を実施するための形態】
【０００８】
このさざなみ形式の連続的なシート状の製品を完成するため編成時に発生しやすい何千本の各種供給糸の張力を均一にする、そして高収縮糸の加工条件による収縮倍率を何百本の中の一本とも異常にしない事が、製品化するために重要である。このさざなみ形式の連続的な円形筒状の製品を完成するため編成時に発生しやすい何千本の各種性質の異なる糸のテンション斑を均一にする、そして高収縮糸の加工条件による収縮倍率を何百本の中の一本とも異常にしない事が、製品化するために重要である。図−２の写真に示す如く装着した場合に消費者が満足し使用意欲を燃やすようなデザインが喜ばれている。
【実施例】
【０００９】
本考案の図１に示す円筒形丸編機のベラ針ニードルにより編成を状態を示している。Ａは無収縮の紡績糸を示すＢは高収縮性弾性糸、Ｃ併合挿入糸は高収縮性弾性糸に合成繊維糸が併合して供給する状態を示す、この供給糸の序列は図３、図４，図５、という順序に円形台座に立ち並んだ供給糸受けるベラ針に対して繰り返し挿入する場合、順序で供給する場合、Ａの並ぶ供給糸の次にＢ、またはＣ、を供給する場合或るいはによりＢ高収縮性弾性糸とＡ無収縮糸の収縮弾性状態の発生による凹凸波状の製品ができる。円筒形の丸編を直径５ｃｍから３０ｃｍに連続製品として生産する。本考案の最終製品は枕カバー寝装品であるから、枕の変形状に密着し、皺が発生しないで、消費者の脱着扱いが容易に、軽く、耐洗濯性を良するために、円筒形丸編み状の形式で、素材に繊維の一部には天然抗菌性の素材を混入を考察し応用している。
【産業上の利用可能性】
【００１０】
従来から寝具用品に用いられているのはほとんどが織機による織物製品であった、そして製品化するために裁断縫製の工程が行はれる、そしてそれらは早くから製造を着手する為に、材料の手配、配色指図、販売価格の予測をしなければならない、この考案によると供給糸の変更手配のみで生産の速度を速くするため、布帛表面模様のデザイン変更が容易に出来る。更に消費者の最も要求の強いのは軽くて、洗濯時の乾燥速度を速くすることである。この世相に反映させるためには充分である。
【図面の簡単な説明】
【００１１】
【図１】本考案の実施例の円筒形丸編機用べラ針に糸が給糸されてる状態を示す図。
【図２】同伸縮性円筒形の枕カバーを枕にセットした状態を示す写真。
【図３】同編み機の作動によりＣ併合挿入糸、Ｂ高収縮弾性糸の繋がりを示す図。
【図４】同Ａ無収縮紡績糸、Ｃ併合挿入糸による繋がりを示す図。
【図５】同Ａ無収縮紡績糸、Ｃ併合挿入糸、Ｂ高収縮弾性糸による繋がり作成後両側から引っ張る力を加えた時の編み地の変形状態を示す図。
【図１】
0003166050.tif 000003
【図３】
0003166050.tif 000004
【図４】
0003166050.tif 000005
【図５】
0003166050.tif 000006
【図２】
0003166050.tif 000007